(57)【特許請求の範囲】
【請求項１】
基材上に、ナトリウムからウランまでの特定元素を少なくとも１種類以上含む磁性材料を含有する少なくとも２つ以上の磁気インキで形成される磁気記録媒体であって、前記少なくとも２つ以上の磁気インキは、各々の磁気インキに含まれる特定元素が少なくとも１つ以上異なる磁気インキであり、各々の磁気インキ毎に印刷し、形成される特定元素の分布状態から、所望の記録情報を得ることを特徴とする特定元素を有する磁気記録媒体。
【請求項２】
前記各々の磁気インキ毎に形成される前記特定元素の分布状態の磁気強度が同一である請求項１記載の特定元素を有する磁気記録媒体。
【請求項３】
基材上に、ナトリウムからウランまでの特定元素を少なくとも１種類以上含む磁性材料を含有する１つ以上の磁気インキで、所望の記録情報を形成した磁気記録媒体であって、前記磁気インキに含まれる前記特定元素とは異なる特定元素を少なくとも１種類以上含む磁性材料を含有する磁気インキで被覆し、前記磁気インキで形成する所望の記録情報を不可視とすることを特徴とする特定元素を有する磁気記録媒体。
【請求項４】
請求項１、請求項２または請求項３に記載の磁気記録媒体のＸ線による識別法であって、前記磁気記録媒体を蛍光Ｘ線分析装置の試料台にセットし、試料台を駆動させながら、Ｘ線発生機から発生したＸ線ビームがＸ線導管で絞られた微細Ｘ線ビームを前記磁気記録媒体に照射し、前記磁気記録媒体に含まれる特定元素を励起し、励起された前記特定元素が放出する蛍光Ｘ線スペクトルを蛍光Ｘ線検出器により検出し、蛍光Ｘ線スペクトルから前記特定元素のマッピング解析を行い、前記磁気記録媒体に含まれる特定元素の記録情報を画像情報として認識し、あらかじめ設定された基準となる特定元素の画像情報との比較により真偽判別することを特徴とする特定元素を有する磁気記録媒体の識別法。
【発明の詳細な説明】
【０００１】
【発明の属する技術分野】
本発明は、偽造及び改ざん防止技術に関し、磁気記録媒体を構成している特定元素の分布状態を画像情報として認識し、非破壊で簡単に真偽判別が可能である特定元素を有する磁気記録媒体とその識別法に関する。
【０００２】
【従来の技術】
一般に、非磁性基材の表面に施される磁気記録は機械読み取りのために施されており、機械読み取り装置により前記磁気の磁気強度を得て識別をしている。
【０００３】
このように、磁気記録媒体は機械読み取り装置で読み取られる磁気強度を、非破壊で認識し識別できる利点があることから識別法として広く普及している。しかし、該磁気記録媒体の機械読み取り装置による測定では、異なる磁性材料を用いた磁気記録媒体であっても、磁気強度が同じであると磁気記録媒体の真偽判別ができない。
【０００４】
また、異なる磁性材料から作製された磁気記録媒体の別の識別法として、前記磁性材料の顔料形状が異なることに着目し、該磁気記録媒体の表面を顕微鏡等で拡大することで、表面状態の違いを観察することも可能である。しかし、この表面状態の観察による識別はかなりの熟練を要し、さらに、複数種の磁性材料を含有した磁気インキから作製された磁気記録媒体においては、前記表面状態の観察では識別が殆ど不可能である。
【０００５】
【発明が解決しようとする課題】
以上詳述したように、従来の磁気記録媒体の識別法においては、異なる磁性材料を用いた磁気記録媒体であっても、磁気強度が同じであると機械読み取り装置では磁気インキを識別することができないので、磁気記録媒体の真偽判別ができないという問題があった。また、磁性材料の顔料形状の違いを利用して、磁気記録媒体の表面を顕微鏡等で観察することも可能であるが、熟練を要することと、複数種の磁性材料を含有した表面状態の観察では識別が殆ど不可能であるという問題があった。
【０００６】
本発明は、上記した問題点に鑑み、周期律表上のナトリウムからウランまでの特定元素を少なくとも１種類以上含有する磁性材料による磁気インキと、前記磁気インキとは異なる周期律表上のナトリウムからウランまでの特定元素を含む少なくとも１種類以上含有する磁性材料による磁気インキの、少なくとも２種類以上の磁気インキを用いて、各々の磁気インキ毎に印刷し、形成される元素の分布状態から、所望の記録情報を得ることを特徴とする特定元素を有する磁気記録媒体を作製し、前記特定元素を有する磁気記録媒体を蛍光Ｘ線分析装置を用いて識別する方法を提供するものである。これにより、従来の機械読み取り装置による識別での欠点を補うことができ、機械読み取り装置により得られる識別情報を併用することで、付加価値を要する製品に有効で、より機密保持性の高い製品となる。
【０００７】
【発明が解決しようとする手段】
本発明は上記問題点を解決するためになされたもので、基材上に、ナトリウムからウランまでの特定元素を少なくとも１種類以上含む磁性材料を含有する少なくとも２つ以上の磁気インキで形成される磁気記録媒体であって、前記少なくとも２つ以上の磁気インキは、各々の磁気インキに含まれる特定元素が少なくとも１つ以上異なる磁気インキであり、各々の磁気インキ毎に印刷し、形成される特定元素の分布状態から、所望の記録情報を得ることを特徴とする特定元素を有する磁気記録媒体を提供するものである。
【０００８】
また、前記磁気記録媒体において、前記各々の磁気インキ毎に形成される前記特定元素の分布状態の磁気強度が同一である特定元素を有する磁気記録媒体を提供するものである。
【０００９】
また、ナトリウムからウランまでの特定元素を少なくとも１種類以上含む磁性材料を含有する１つ以上の磁気インキで、所望の記録情報を形成した磁気記録媒体であって、前記磁気インキに含まれる前記特定元素とは異なる特定元素を少なくとも１種類以上含む磁性材料を含有する磁気インキで被覆し、前記磁気インキで形成する所望の磁気情報を不可視とすることを特徴とする特定元素を有する磁気記録媒体を提供するものである。
【００１０】
また、本発明の磁気記録媒体のＸ線による識別法であって、前記磁気記録媒体を蛍光Ｘ線分析装置の試料台にセットし、試料台を駆動させながら、Ｘ線発生機から発生したＸ線ビームがＸ線導管で絞られた微細Ｘ線ビームを前記磁気記録媒体に照射し、前記磁気記録媒体に含まれる特定元素を励起し、励起された前記特定元素が放出する蛍光Ｘ線スペクトルを蛍光Ｘ線検出器により検出し、蛍光Ｘ線スペクトルから前記特定元素のマッピング解析を行い、前記磁気記録媒体に含まれる特定元素の記録情報を画像情報として認識し、あらかじめ設定された基準となる特定元素の画像情報との比較により真偽判別することを特徴とする特定元素を有する磁気記録媒体の識別法を提供するものである。
【００１１】
【発明の実施の形態】
本発明の磁気記録媒体は、ナトリウムからウランまでの特定元素を少なくとも１種類以上含む磁性材料を含有した磁気インキと、前記磁気インキとは異なるナトリウムからウランまでの特定元素を少なくとも１種類以上含む磁性材料による磁気インキとの少なくとも２種類以上の磁気インキを用いて、これらの磁気インキを組み合わせて所望の記録情報をパターン印刷した磁気記録媒体である。この磁気記録媒体に蛍光Ｘ線分析装置によりＸ線を照射し、励起された前記特定元素が放出する蛍光Ｘ線を検出して、蛍光Ｘ線スペクトルを得て特定元素のマッピング解析を行い、前記特定元素毎の記録情報を画像情報として得ることで認識して識別する。さらに、従来より行われている機械読み取り装置の測定から得られる識別情報を併用することで、前記磁気記録媒体の識別がより高度になり、機密保持性に優れ、偽造及び改ざんを防止するための有効な手段となる。
【００１２】
【実施例】
本発明の磁気記録媒体に使用する磁性材料は、特に磁気特性を考慮に入れる必要がなく、一般に使用されている、γ−酸化鉄，Ｃｏ含有γ−酸化鉄、二酸化クロム等の酸化物磁性粉、カルボニル鉄粉、ＭｎＢｉ磁性粉末、Ｂａ、Ｓｒ、Ｐｂ、，Ｚｎ、Ｍｎ−Ｚｎ等のフェライト磁性粉、Ｎｉ、Ｃｏ、Ｆｅ、Ｍｎ、Ｚｎ等の磁性金属、Ｆｅ−Ｃｏ、Ｆｅ−Ａｌ、Ｆｅ−Ｓｉ、Ｎｉ−Ｃｏ、パーマロイ（Ｆｅ−Ｎｉ系）、パーマロイにＭｏ、Ｃｒ、Ｍｎを添加した超マロイまたはスーパーマロイ、Ｆｅ−Ａｌ−Ｓｉ系のセンダスト等の合金磁性粉、メタル磁性粉等で、周期表上においてナトリウムからウランまでの特定元素が含まれているものであれば任意に選択して使用することができる。
【００１３】
（実施例１）  以下、実施例に基づき本発明を詳細に説明するが、本発明はこの実施例によってなんら限定されるものではない。また、実施例による磁気記録媒体の作製方法は、一般の印刷方式である凹版、凸版、オフセット又はスクリーン印刷などのいずれを用いても支障はない。
【００１４】
図１は、基材（１）の上に、５桁の数字を特定元素の異なる磁性材料を適当量混合して作製した３種類の磁気インキを用いて印刷した磁気記録媒体である。該磁気記録媒体の数字は、万の位（２）はＭｎ−Ｚｎフェライト（特定元素：鉄、マンガン、亜鉛）の磁性材料を含んで作製した磁気インキで、千と百の位（３）はＢａフェライト（特定元素：鉄、バリウム）の磁性材料を含んで作製した磁気インキで、十と一の位（４）はＭｎＢｉ粉末（特定元素：マンガン、ビスマス）の磁性材料を含んで作製した磁気インキで、パターン印刷したものである。
【００１５】
前記作製した磁気記録媒体を、図１のＸ−Ｙ間における磁気強度を機械読み取り装置で測定すると、図２に示すような磁気強度が得られ、万の位（２）、千と百の位（３）、十と一の位（４）の磁気強度が異なることが分かり、本発明の磁気記録媒体を構成している磁気インキが異なるものであることが推察される。しかし、図２に示す磁気強度の違いが、磁気インキの塗布量、磁気インキに含まれる磁性材料の種類及び磁性材料の含有量のどれに起因して表れるのか判別できない。
【００１６】
そこで、前記作製した磁気記録媒体を、蛍光Ｘ線分析装置を用いて特定元素のマッピング解析を行い、特定元素毎のマッピング像を画像情報として認識することで識別を行う。
【００１７】
図３は、本発明の磁気記録媒体を識別するための蛍光Ｘ線分析装置の概略図を示したものであり、試料台（５）、Ｘ線発生器（６）、Ｘ線導管（７）、蛍光Ｘ線検出器（８）及びコンピュータ（９）から構成されている。
【００１８】
まず、前記作製した磁気記録媒体（１０）を試料台（５）に固定し、試料台（５）を駆動させながら磁気記録媒体（１０）を移動させる。それと共にＸ線発生器（６）から発生されたＸ線がＸ線導管（７）で微細なＸ線に絞られ、磁気記録媒体（１０）に照射される。このＸ線によって励起された前記磁気記録媒体に含まれる特定元素である鉄、亜鉛、バリウム、ビスマスが放出する蛍光Ｘ線を蛍光Ｘ線検出器（８）で検出し、蛍光Ｘ線スペクトルのマッピング解析から、前記特定元素毎のマッピング像を画像情報として得ることができる（図４）。
【００１９】
図４より、鉄のマッピング像では、上位３桁の１００という数字が画像情報として認識できる。そして、亜鉛のマッピング像からは万の位の１という数字のみが認識でき、バリウムのマッピング像からは千と百の位の００という数字が、ビスマスのマッピング像からは十と一の位の００という数字がそれぞれ画像情報として認識できる。このように、特定元素毎に画像情報が得られるので、前記磁気記録媒体を形成している３種類の磁気インキに含まれる特定元素の違いから異なる画像情報を得ることができるので、予め設定した基準となる画像情報と比較することで真偽判別が可能となる。
【００２０】
（実施例２）  図５は、基材（１）の上に、５桁の数字を特定元素の異なる磁性材料を混合して作製した３種類の磁気インキを用いて印刷した磁気記録媒体である。該磁気記録媒体の数字は、万の位（２）はＭｎ−Ｚｎフェライトの磁性材料で作製した磁気インキで、千と百の位（１１）はＭｎ−ＺｎフェライトとＢａフェライトの磁性材料を混合して作製した磁気インキで、十と一の位（１２）はＭｎ−ＺｎフェライトとＭｎＢｉ粉末の磁性材料を混合して作製した磁気インキで印刷された磁気記録媒体である。該磁気記録媒体に使用したそれぞれの磁気インキは、予め機械読み取り装置による測定で、磁気強度が同一になるように前記磁気インキの塗布量及び前記磁気インキに含まれる磁性材料の含有量を調整したものである。
【００２１】
前記作製した磁気記録媒体を、図５のＸ−Ｙ間において機械読み取り装置により磁気強度を測定すると、図６に示すような磁気強度が得られる。しかし、該磁気強度に違いがないことから、前記磁気記録媒体を構成している磁気インキの違いを認識することができない。
【００２２】
そこで、実施例１と同様に前記磁気記録媒体に、蛍光Ｘ線分析装置によりＸ線を照射すると前記磁気記録媒体に含まれる特定元素が励起され、励起された特定元素から放出される蛍光Ｘ線を検出し、蛍光Ｘ線スペクトルのマッピング解析から、前記特定元素毎のマッピング像を得ると、図７に示した鉄、バリウム、ビスマスの分布状態を画像情報として得ることができる。前記磁気記録媒体に使用した全ての磁気インキには、Ｍｎ−Ｚｎフェライトの磁性材料を含んでいるため、鉄のマッピング像では、１００００という数字が画像情報として認識することができ、バリウムのマッピング像では、千と百の位の００という数字が画像情報として認識でき、ビスマスのマッピング像では、十と一の位の００という数字が画像情報として認識できる。
【００２３】
このように、蛍光Ｘ線分析装置による特定元素のマッピング解析から特定元素毎のマッピング像を得ることで、磁気記録媒体を構成している磁気インキの特定元素の組成の違いから異なる画像情報が得られることが分かる。つまり、予め特定元素のマッピング像から基準となる任意の画像情報を設定しておくことで、前記磁気記録媒体に含まれる特定元素からの画像情報と、基準の画像情報とを比較することで真偽判別が可能となる。
【００２４】
（実施例３）  図８は、基材（１）の上に，文字（１３）を印刷した磁気記録媒体である。ここで、文字（１３）はＢａフェライトの磁性材料を含んで作製した磁気インキで印刷した磁気記録媒体である。該磁気記録媒体を、文字（１３）に含まれているバリウムを含まないＭｎ−Ｚｎフェライトの磁性材料で作製した磁気インキで隠蔽層（１４）を印刷し、文字（１３）を被覆して不可視とした磁気記録媒体を作製した（図９）。
【００２５】
前記作製した磁気記録媒体の不可視とされた文字（１３）を、機械読み取り装置で読み取るために、図９のＸ−Ｙ間で磁気強度を測定した結果を図１０に示す。これにより、文字（１３）の位置において磁気強度が高いことが分かる。このことから、前記磁気記録媒体には磁気強度が高い位置に識別情報が付与されていることが分かる。
【００２６】
しかし、機械読み取り装置による測定では前記磁気記録媒体に付与されている識別情報が何であるか特定ができない。そこで、前記磁気記録媒体に対し実施例１と同様に、蛍光Ｘ線分析装置によりＸ線を照射し蛍光Ｘ線スペクトルのマッピング解析から、バリウムのマッピング像を画像情報として得る（図１１）。このバリウムのマッピング像から、被覆された前記磁気記録媒体が画像情報として認識され、前記磁気記録媒体が文字Ａを識別情報として有していることが分かる。
【００２７】
このように、磁気記録媒体に付与された目視では確認できない被覆された識別情報の判別方法としては、機械読み取り装置を用いることで、磁気記録媒体の被覆された識別情報の有無及び位置を簡易的に確認することができ、さらに、蛍光Ｘ線分析装置を用いることにより、被覆された磁気記録媒体の特定元素のマッピング像を画像情報として得ることで可能である。このことから、機械読み取り装置で磁気強度情報を得、さらに、蛍光Ｘ線分析装置を用いることにより得られる画像情報による識別法を用いることで、より高度な真偽判別法として有効である。
【００２８】
【発明の効果】
本発明の特定元素を有する磁気記録媒体及びその識別法は，所望の記録情報を有した磁気記録媒体に含まれるナトリウムからウランまでの特定元素毎のマッピング解析からマッピング像を画像情報として得て、予め設定した基準となる特定元素の画像情報と比較することで、特定元素を有する磁気記録媒体を非破壊で真偽判別を行うことができる。
【００２９】
このことから、前記磁気記録媒体の図柄の任意の場所に，ナトリウムからウランまでの任意の特定元素を付与することができ、前記磁気記録媒体が他の図柄に被覆されても、前記特定元素の記録情報を画像情報として読み取り識別することが可能なため、任意のデザインで付与することができ製品のデザインを損ねることなく簡単に記録情報を有した磁気記録媒体を作製でき、該磁気記録媒体の画像情報を非破壊で識別することが可能である。
【００３０】
また、前記磁気記録媒体は、目視により認識できる図柄を構成する磁気インキの種類を任意に設定でき、換えることが可能なため、組み合わせが限りなく存在する。このことから、磁気記録媒体に含まれる特定元素毎に得られる画像情報が異なるように磁気記録媒体を作製しておくことで、必要に応じた読みとり情報を得ることができる。
【００３１】
さらに、磁気記録媒体に付与した場所及び識別情報を秘密にしておくことで、偽造及び改ざんに対し十分な安全性を有しているので、銀行券、株券、債券、各種クレジットカード等の高い機密保持性が必要とされる製品の真偽判別に適している。
【図面の簡単な説明】
【図１】実施例１を説明する図で、３種類の磁気インキで印刷した本発明の磁気記録媒体を示す図である。
【図２】図１のＸ−Ｙ間の磁気強度である。
【図３】蛍光Ｘ線分析装置の概略図である。
【図４】実施例１の磁気記録媒体の特定元素毎のマッピング像である。
【図５】実施例２を説明する図で、３種類の磁気インキで印刷した本発明の磁気記録媒体を示す図である。
【図６】図５のＸ−Ｙ間の磁気強度である。
【図７】実施例２の磁気記録媒体の特定元素毎のマッピング像である。
【図８】実施例３を説明する図であり、磁気インキで印刷した本発明の磁気記録媒体を示す図である。
【図９】図８の文字を磁気インキで隠蔽した磁気記録媒体である。
【図１０】図９のＸ−Ｙ間の磁気強度である。
【図１１】実施例３の磁気記録媒体のバリウムのマッピング像である。
【符号の説明】
１    基材
２    Ｍｎ−Ｚｎフェライトの磁気インキで印刷した磁気記録媒体
３    Ｂａフェライトの磁気インキで印刷した磁気記録媒体
４    ＭｎＢｉ磁性粉末の磁気インキで印刷した磁気記録媒体
５    試料台
６    Ｘ線発生器
７    Ｘ線導管
８    蛍光Ｘ線検出器
９    コンピュータ
１０    磁気記録媒体
１１    Ｍｎ−ＺｎフェライトとＢａフェライトの磁気インキで印刷した磁気記録媒体
１２    Ｍｎ−ＺｎフェライトとＭｎＢｉ磁性粉末の磁気インキで印刷した磁気記録媒体
１３    Ｂａフェライトの磁気インキで印刷した磁気記録媒体
１４    Ｍｎ−Ｚｎフェライトの磁気インキで印刷した隠蔽層
【図１】
0004524372.tif 000002
【図２】
0004524372.tif 000003
【図３】
0004524372.tif 000004
【図４】
0004524372.tif 000005
【図５】
0004524372.tif 000006
【図６】
0004524372.tif 000007
【図７】
0004524372.tif 000008
【図８】
0004524372.tif 000009
【図９】
0004524372.tif 000010
【図１０】
0004524372.tif 000011
【図１１】
0004524372.tif 000012